(57)【要約】【課題】本発明は、その機体（２）に、火を消すための消火液が充填されたタンク（３）が含まれているタイプの消火ヘリコプターを提供する。【解決手段】前記消火ヘリコプターは、圧力をかけられた前記消火液用の発射装置を備え、その発射装置は、パイロットデッキの前方かつ下方に備えられている。前記消火ヘリコプターは、消火液のメインタンクにあるプレート（１４）が上下方向に垂直に動くことにより、前記可動プレートと、前記メインタンクの底と、前記メインタンクの側壁の間で消火液が安定した状態で保たれ、またこの方法により重心が安定しているという事実においても特徴がある。【選択図】図２
2007501725.tif 000002
【特許請求の範囲】
【請求項１】
機体（２）に、消火のための消火液（３）の貯蔵タンクを備え、その貯蔵タンクには圧力により消火液の量を制御する発射装置（４４）を備え、前記発射装置は下部デッキの前方に配置されていることを特徴とし、前記消火液のメイン貯蔵タンク（３）の内部の制限板（１４）は、安定ガイド（１１）の間で垂直方向に動き、その結果、前記貯蔵タンク（３）の内部の消火液の量を、固い壁の間においてその重心が変化するのを回避するよう常に制限し、安定させる型の消火ヘリコプター。
【請求項２】
前記ヘリコプターの機体の前記前方部分が垂直方向２つのデッキ（５２，５３）に分割され、前記上部デッキ（５２）がコックピットを形成し、更に前記下部デッキ（５３）は、前記消火液の前記発射装置（４４）を操作し、また前記発射装置（４４）の方向を操作する操作者が横たわった状態で入ることができる充分な空間を有していることを特徴とする、前記請求項１に記載の消火ヘリコプター。
【請求項３】
前記消火液のメイン貯蔵タンク（３）の前記制限板（１４）が、モータ（１５）により操作される２つの垂直方向のウォーム・スクリュー（１２）の助けにより動くことを特徴とする、請求項１又は請求項２に記載の消火ヘリコプター。
【発明の詳細な説明】
【技術分野】
【０００１】
本発明は、消火手段及び火事への対抗手段であって、特に林の中などの接近不可能な場所での火事の消火手段に関するものである。より具体的には、改良された消火ヘリコプターに関するものである。
【背景技術】
【０００２】
消防班が、林の中での消火活動において直面する深刻な問題は、接近できる道が乏しいことである。これは、消防員の介入の遅れの原因となり、また火事を、その初期の火を超えて広がることを許し、そして火事への対応を困難にさせる。
【０００３】
火災前線への接近手段が乏しいという問題の対応には、飛行機やヘリコプターなどの飛行手段が使われてきた。第一に、飛行手段の構造により、飛行手段だけが火の中心の上を早く通過することができるので、確かに消火することができる。さらに、可能ならば、火災前線の特定の個所を、大量の水により消火することができる。この飛行手段は、少なくとも水と時間が懸念事項であり、費用がかかる。つまり、前記飛行機は水の供給のために即座に戻らなければならないし、また他の火災前線に新たな放水のために戻らなければならないなど、さまざまにある。更に、前記放水による危険が、地上で働く消防員に存在する。
【０００４】
消火に使われてきた前記ヘリコプターは、普段、ヘリコプターの下に吊るされた大きなバケツいっぱいの水を運んでいる。作業の最中に、機長は、好都合の場所を選択し、前記ヘリコプターを固定し、前記バケツを空にする。これにより、放水の場所がより正確に選択され、また、目標地点がより正確になるなど、一段と繊細な水の操作を可能にする。
【０００５】
もうひとつの重大な問題は、飛行の安定性の問題である。前記バケツから急激に水を空にするときに、運動力の維持の法則により、前記飛行機の重心が瞬時に変化する。したがって、前記飛行機の安全管理のために、パイロットの操縦の能力が求められる。また、操縦の間に、飛行の安全を危険にさらす予期しない水の質量の重心の変化が監視され、またこれに立ち向かうために、前記パイロットの特別な能力が要求される。
【発明の開示】
【発明が解決しようとする課題】
【０００６】
本発明は、上述した問題点の少なくともいくつかを解決し、体系だった、また求めら得る適所及び適時に正確に消火液をまくことのできる消火ヘリコプターを提供する。
【０００７】
本発明はさらに、消火液の重心の変化により起こる飛行の不安定性の問題の解決策を提供する。
【課題を解決するための手段】
【０００８】
本発明によれば、その機体に消火液の貯蔵タンクを備え、消火ヘリコプターの機体の前方かつ下方のデッキに消火液の制御された発射を可能にする圧力をかけられた消火液の発射装置が備えられているという特徴がある消火ヘリコプターが提供される。
【０００９】
さらに、前記消火液のメイン貯蔵タンク内の板が安定した運転の間に垂直方向に動き、これにより固い壁の間で前記貯蔵タンクの内部の消火液の量を、常に安定した状態に保ち、また、消火液の重心の変化を回避する。
【００１０】
本発明の好適な実施の形態によれば、前記ヘリコプターの前記前方のデッキは素勅方向上下２つのデッキに分割され、その上部の部分がコックピットを構成し、また、その下部の部分が消火液のノズルを操作するオペレーターを受け入れるために十分な空間を有する。
【００１１】
好ましくは、本発明によれば、消火液の前記メインタンク内の別の板が、モーターから伸びる２つのウォーム・スクリューの助けにより、垂直方向に移動する。
【発明を実施するための最良の形態】
【００１２】
本発明は、添付された図面を参照することにより、より詳細に説明される。
【００１３】
図１には、本発明の適用物として使用されたタイプのヘリコプター１がある。前記ヘリコプター１の機体２は、ヘリコプターの大きさと力に応じて、消火液用の１つか２つの平行６面体の貯蔵タンク３を備えることができるよう形作られている。前記ヘリコプターの後端部には、前記ヘリコプターが作業の準備をしているに、１つの貯蔵タンク（または複数の貯蔵タンク）の消火液の装填と排出を可能にする装填路４が備わっている。
【００１４】
以下により詳細に記載される前記メイン貯蔵タンク３は、一般的には直方体の形状をし、また前記ヘリコプターの機体の床に、前記の基本的に四角のメイン貯蔵タンクに２つの横断する角に備え付けられた６つの当て物２１（図２）を介して支持されている。また、前記メイン貯蔵タンクの完全な固定のために、貯蔵タンク３の天井部と前記機体２の間であって、貯蔵タンク３の天井の表面の４つの角に、４つのウェッジ２２（図２）が配置されている。
【００１５】
２つ目の貯蔵タンクも使用される場合には、前記メイン貯蔵タンクと類似した形状をしており、ヘリコプターの動きの方向に沿ってメイン貯蔵タンクの背後に設置される。また２つ目の貯蔵タンクは前記メイン貯蔵タンクと同様の方法で配置され固定される。前記２つ目の貯蔵タンクの前方側面には、その貯蔵タンクの底に近いところに液体の排出口５が遮断弁により閉められた状態で存在する。前記２つ目の貯蔵タンクが前記ヘリコプターの内部に配置及び固定された場合には、排出口５は、柔軟なパイプ６を介して、ポンプ７の中間部と、前記メイン貯蔵タンクの天井部に近く、前記メイン貯蔵タンクの前記後方側面に前もって入るのを待機している液体８と接続している。
【００１６】
すでに説明したとおり、また図２に表されているように、前記メイン貯蔵タンク３は直方体の形状をなしている。その内部に、そして前記４つの垂直方向の隅の近くに、４つの垂直方向直線のスライドガイド１１が前もって配置されている。前記メイン貯蔵タンクの中心線に対して横断方向に対称の位置に、２つのウォーム・スクリュー１２が配置されている。これらのスクリュー１２は貯蔵タンクの床にある回転位置１３により支持されている。前記ウォーム・スクリュー１２は、前記貯蔵タンク３の前記天井部を防水回転可能に突き抜け、また前記メイン貯蔵タンク３の少し上の位置で終わっている。
【００１７】
また前記メイン貯蔵タンク３の内部に、その天井と床に平行に、前記メイン貯蔵タンクの平面図の内法に等しい面積からなる金属の制限板１４が前もって備わっている。前記制限板１４は、前記４つの直線状のスライドガイド１１の内部にある適切な手段の助けにより、その制限板１４の周囲と記メイン貯蔵タンクの隣接面との間に最小限の公差を有しながら、その前記制限板の上面及び下面の間に気密が保たれるように自由にスライドする。
【００１８】
前記金属の制限板１４の横軸内と、ウォーム・スクリュー１２とに沿った位置に、２つの穴が切開されている。この穴は、前記ウォーム・スクリュー１２の位置、幾何学的形、面に沿った内部コイルを有し、これらと協調するようにしている。
【００１９】
前記貯蔵タンクの天井の上とその中心の周りには、モーター１５が設置され、回転ロッド１６が水平にかつ前記モーター１５の両端から左右に突き出て、ウォーム・スクリュー１２と螺合したスクリュー部で終端している。この回転ロッドは前記水平軸の周りに回転し、その水平軸回転を前記垂直軸の周りの前記ウォーム・スクリュー１２の方向に沿った回転に変換している。ウォーム・スクリュー１２の回転運動はウォーム・スクリュー１２の回転方向に応じて、前記制限板１４のねじ穴に従って、その制限板１４が前記スライドガイド１１に沿って滑動したり、上昇若しくは下降する直線的な運動に変換される。さらに、貯蔵タンク３の天井の上には、好ましい位置に検査用の箱がある。最後に、前記メイン貯蔵タンク３の底部の好ましい位置には、どんな型でもよいセンサースイッチ１７が配置されている。
【００２０】
前記メイン貯蔵タンクの前方側面と底部の付近には、消火液の出口用のノズル４１が備
わっている。図１に表されるように、このノズルは、柔軟性のあるパイプ４２を介して、
また高圧ポンプ４３を解して、前記ヘリコプターの前方かつ下方のデッキに配置された高
圧発射装置ノズル４４に接続されている。前記発射ノズル４４は自由に動くことが可能に
されており、それによって望ましい目標に向かって手動で方向付けられ、水が外に出され
若しくは集中して散布されるようになっている。
【００２１】
前記ヘリコプターの前方部５１は、水平の床板により上部及び下部のデッキに分割され
る。上部デッキ５２は伝統的なヘリコプター操縦室として占領される。このヘリコプター
操縦室は市場において知られており、ここではこれ以上詳細に説明しない。
【００２２】
前記下部デッキ５３は、低い高さの消火液発射装置４４を備え、人が寝そべって入ることができる広さを有している。このデッキは前記発射装置の位置を操作する部分となる。このデッキは上部デッキと、操作する人が階段を降りて前記発射装置の操作位置につけるようにすることができる揚げぶたでつながっている。前記下部デッキの前方半分は前記操作人が地上の火事を監視し、目標を選択し、前記発射装置を方向付けできるように透けている。
【００２３】
前記下部デッキはまた、モータ１５と制限スイッチ１７を介し、前記板１４を操作するためのスイッチを備えた操作板を供えている。この操作板は、前記発射装置の操作人により容易に使用できるように配置され、たとえば、a）前記板の下降の操作、b）前記モータの固定の操作、c）前記板の上昇操作、d）前記a）及びc）の操作の取消しの操作と、制限スイッチ１７の上の板１４の上昇下降の操作の伝達、など可能にするものを備えることができる。
【００２４】
危険に対する前記ヘリコプターの操作の間に、制限板を動かす前記モータは、前記メイン貯蔵タンクの天井にほぼ接触するするような上部の位置に前記制限板を上げるように操作される。こうすることによって、前記メイン貯蔵タンクの内部の待機状態が稼動し、（もし２つ目のタンクが存在していた場合に）前もって用意されている場合には、前記２つ目の貯蔵タンクと前記ポンプを介して、消火液によりそのタンクを満たすことを可能にする。
【００２５】
火事を消火している間に、普段実際では一箇所のみに大量の放水をしているのとは反対に、前記操作人は消火液を好ましい位置と量において発射させるように発射装置４４を使う。前記メイン貯蔵タンク内部の位置より前記消火液が減った場合には、メイン貯蔵タンクのモータは再び制限板を下げるように操作され、消火液の自由面が前記制限板の下方側面に接触するようにする。この方法により、前記ヘリコプターの操縦の間、前記自由側面の動きは制限され、飛行の不安定さの原因となる重心の変化が回避される。前記制限板が前記貯蔵タンクの底に接近したときは、前記制限スイッチが作動し、そして前記モータの作動を解除する。
【００２６】
本発明は好ましい実施の形態に従って記載された。しかし、当業者は通常特に使用される技術的手段の多様な変更又は他の同等の手段に置き換えることができることは言うまでも無い。添付請求項の範囲内に含まれるようなこれらあらゆる変更と変形は、本発明の範囲内に含まれている。
【図面の簡単な説明】
【００２７】
【図１】本発明による消火ヘリコプターの略断面図である。
【図２】本発明による消化液のメイン貯蔵タンクの断面図である。
【図１】
2007501725.tif 000003
【図２】
2007501725.tif 000004
【国際調査報告】
2007501725.tif 000005
2007501725.tif 000006
2007501725.tif 000007